(57)【特許請求の範囲】
【請求項１】
下底面から連結杆が下方突成されたマーカー本体と、
前記連結杆の下端部に螺着され、その螺着によって内部に充填された接着剤を封止するようにした易破砕性材質からなる有底円筒管とを備えてなることを特徴とする視覚障害者誘導用マーカー。
【請求項２】
前記有底円筒管の外周面に硬化剤層を形成したことを特徴とする請求項１に記載した視覚障害者誘導用マーカー。
【発明の詳細な説明】
【０００１】
【発明の属する技術分野】
本発明は、歩行路面に敷設される視覚障害者誘導用マーカーに関する。
【０００２】
【従来の技術】
視覚障害者誘導用マーカーは、図６に示すように、円形，長円形等に形成されたマーカー本体ａを、屋外の歩道や屋内の通路等の歩行路面ｂに、所定の配列状態で敷設することにより、視覚障害者の誘導に使用されている。
【０００３】
かかる視覚障害者誘導用マーカーにあって、歩行路面ｂに対するマーカー本体ａの固定手段の一つとして、接着剤を充填したガラス管からなるアンカーを用いるものがある。このアンカ−ｃは、図４に示すように、細長いガラス管ｄの内部に接着剤ｅを充填してその両端を封止部材ｆ，ｆで塞ぎ、さらに該ガラス管ｄの外周面に所定間隔で複数の切れ目ｇを形成してなるものである。そして、該アンカーｃを用いてマーカー本体ａを固定するには、まず、図５イに示すように、歩行路面ｂに穿設した取付孔ｈにガラス管ｄを差入れて、側方に倒すようにして切れ目ｇでガラス管ｄを所定長さに切断し、次いで、図５ロに示すように、取付孔ｈに装入された所定長さのガラス管ｄの上方から、マーカー本体ａの下底面に下方突成された螺子杆からなる連結杆ｉをあてがった状態で、マーカー本体ａをハンマー等の工具で下方へ叩打して、連結杆ｉを孔底まで叩き込むことにより、ガラス管ｄを割り、接着剤ｅを取付孔ｈ内に拡散させる。そして、図５ハに示すように、硬化した接着剤ｅによって連結杆ｉを取付孔ｈに固着して、マーカー本体ａを固定するようにしている。
【０００４】
【発明が解決しようとする課題】
上記のようなアンカーｃにあっては、ガラス管ｄが長いため、衝撃によって輸送中に割れ易く、また、その施工時において、いちいち所定長さに切断しなければならないので面倒で作業性が悪く、さらに、最後まで使い切らないで使用途中で長時間放置すると、ガラス管ｄ内で接着剤ｅが硬化してしまう等の種々の問題点がある。また、図５ロに示すように、取付孔ｈに装入した所定長さのガラス管ｄに略同一径の連結杆ｉを上方からあてがって、該連結杆ｉを孔底まで叩き込むことにより、ガラス管ｄを割るものであるため、破砕したガラス管ｄの大部分が連結杆ｉにより押し下げられて孔底に溜ってしまい、該破砕片ｘが、接着剤ｅの接合強度を高める骨材としての作用を余り成し得ないという問題点がある。
【０００５】
本発明は、かかる従来の問題点を解消し得る視覚障害者誘導用マーカーの提供を目的とするものである。
【０００６】
【課題を解決するための手段】
本発明は、下底面から連結杆が下方突成されたマーカー本体と、前記連結杆の下端部に螺着され、その螺着によって内部に充填された接着剤を封止するようにした易破砕性材質からなる有底円筒管とを備えてなることを特徴とする視覚障害者誘導用マーカーである。
【０００７】
ここで、上記易破砕性材質としては、ガラス，セラミックス，プラスチック等の材質が提案され、中でもガラスが最も好適なものとして使用され得る。
【０００８】
かかる構成にあって、連結杆の下端部に螺着された有底円筒管を、歩行路面に穿設した取付孔に装入した状態で、マーカー本体をハンマー等の適宜の工具で下方へ打圧することにより、連結杆が有底円筒管内を通って取付孔の孔底まで押し込まれることとなり、該連結杆の周囲で有底円筒管が略均一に分散するように破砕し、かつ、内部の接着剤が取付孔内で拡散する。これにより、該接着剤が硬化すると、連結杆が取付孔に固着され、マーカー本体が歩行路面に固定される。また、連結杆の周囲に略均一に分散した有底円筒管の破砕片が、接着剤の接合強度を高める骨材として有効に作用する。
【０００９】
また、前記有底円筒管の外周面に硬化剤層を形成するようにしてもよい。この場合には、二剤混合型接着剤の主剤となる接着剤が有底円筒管に充填され、該主剤の硬化剤が有底円筒管の外周面に塗着される。そして、上記のように有底円筒管を破砕させると、主剤と硬化剤とが混合され、短時間で接着剤を硬化させることができる。
【００１０】
【発明の実施の形態】
本発明の一実施例を、図１〜図３について説明する。
【００１１】
図面において、１は本発明に係る視覚障害者誘導用マーカーを示す。該視覚障害者誘導用マーカー１のマーカー本体２は、条例で定められた基準に従って円形，長円形等の所定形状（図６参照）に形成されており、その形状に応じて下底面から１もしくは複数の連結杆３が下方突成されている。該連結杆３は、マーカー本体２と一体成形してもよいし、別体形成したものをマーカー本体２に溶接等を介して固着させてもよい。また、連結杆３にはその外周面に雄螺子４が形成されており、該雄螺子４を後述の有底円筒管５の雌螺子６に螺合し得るようになっている。
【００１２】
有底円筒管５は、底板部５ａを備え、内部に接着剤７を充填可能な円筒管状に形成されたものであって、易破砕性材質からなり、この易破砕性材質としては、ガラス，セラミックス，プラスチック等の材質が挙げられる。この内で特にガラスは、加工性，易破砕性，コストの点で有利であり、最も好適に使用され得る。また、有底円筒管５の底板部５ａは、図示したように側周部５ｂと一体成形してもよいし、あるいは、円筒管の下部開口をキャップ，詰物等によって遮蔽することによって構成してもよい。さらに、有底円筒管５の内周上部には、前記連結杆３の雄螺子４と螺合可能な雌螺子６が形成されており、該雌螺子６と雄螺子４の螺合を介して、有底円筒管５を連結杆３の下端部に螺着させている。そして、その螺着によって有底円筒管５の内部に充填された接着剤７を封止するようにしている。
【００１３】
また、前記接着剤７は、二剤混合型接着剤の主剤となるポリエステル系接着剤が用いられており、有底円筒管５の外周面には、該接着剤と混合されるとその硬化を促進させる硬化剤を塗着してなる硬化剤層８が形成されている。前記硬化剤としては過酸化ベンジェルが用いられ得る。
【００１４】
かかる構成にあって、マーカー本体２を、屋外の歩道や屋内の通路等の歩行路面１０に固定するには、図２に示すように、マーカー本体２の下部から突出した連結杆３の長さ寸法と、有底円筒管５の外径寸法とに夫々略一致する有底状の取付孔１１を歩行路面１０に穿設して、該取付孔１１に、マーカー本体２の連結杆３に螺着されている有底円筒管５をそのまま装入する。
【００１５】
次に、この状態でマーカー本体２をハンマ−等の適宜の工具で下方へ打圧すると、連結杆３が有底円筒管５内を通って取付孔１１の孔底まで押し込まれ、この押し込みによって有底円筒管５が破砕して、図３に示すように、その破砕片ｘが連結杆３の周囲に略均一に分散するとともに、接着剤７が取付孔１１内に拡散する。そして、このように拡散した接着剤７と、有底円筒管５の破砕片ｘに付着している硬化剤層８の硬化剤とが混合されて、接着剤７が迅速に硬化することとなる。ここで、上記のように連結杆３の周囲に略均一に分散した有底円筒管５の破砕片ｘによって、接着剤７の接合強度を高める骨材としての作用が得られる。
【００１６】
これにより、連結杆３が取付孔１１に固着され、マーカー本体２を歩行路面１０に固定することができる。
【００１７】
尚、上記実施例では、二剤混合型接着剤の主剤である接着剤７を有底円筒管５に充填し、その硬化剤を有底円筒管５の外周面に塗着しているが、この構成に代えて、有底円筒管５内を二室に区画して、接着剤７と硬化剤とを夫々充填するようにしてもよい。ここで、実施例のように、主剤である接着剤７を有底円筒管５に充填し、硬化剤を該有底円筒管５の外周面に塗着するようにすれば、二剤分離を簡易に構成し得る利点がある。また、一剤からなる速乾性接着剤７を有底円筒管５に充填することも可能であり、この場合には、実施例における硬化剤層８は不要となる。
【００１８】
【発明の効果】
本発明は上述のように、接着剤７を充填した易破砕性材質からなる有底円筒管５を、マーカー本体２の下底面に下方突成された連結杆３の下端部に螺着して、その螺着によって接着剤７を封止するように構成し、歩行路面１０に穿設した取付孔１１に前記有底円筒管５をそのまま装入して、この状態でマーカー本体２を下方へ打圧することにより、連結杆３を取付孔１１の孔底まで押し込んで有底円筒管５を破砕させるとともに、接着剤７を取付孔１１内に拡散させて、その硬化によりマーカー本体２を固定するようにしたから、従来の細長いガラス管内に接着剤を充填したものに比して、有底円筒管５が短いため輸送中に割れることが少なく、また、その施工時において、いちいち所定長さに切断する必要がないため作業性がよく、さらに、有底円筒管５を連結杆３の下端部に螺着して、その螺着によって接着剤７を封止しているため、保管中における該接着剤７の硬化を防止することができる。また、有底円筒管５の破砕片ｘを連結杆３の周囲に略均一に分散させることができるため、該破砕片ｘを、接着剤７の接合強度を高める骨材として有効に作用させ得る等の優れた効果がある。
【００１９】
また、二剤混合型接着剤を使用する場合にあって、その硬化剤からなる硬化剤層８を有底円筒管５の外周面に形成することにより、二剤分離を簡易に構成し得る利点がある。
【図面の簡単な説明】
【図１】本発明に係る視覚障害者誘導用マーカーの一実施例の縦断面図である。
【図２】同上の施工過程を示す縦断面図である。
【図３】同上の施工完了状態を示す縦断面図である。
【図４】従来のアンカーの一部切欠正面図である。
【図５】従来のアンカーを用いた施工手順の説明図である。
【図６】視覚障害者誘導用マーカーの敷設例を示す平面図である。
【符号の説明】
１  視覚障害者誘導用マーカー
２  マーカー本体
３  連結杆
５  有底円筒管
７  接着剤
８  硬化剤層
ｘ  破砕片
【図１】
0003973738.tif 000002
【図２】
0003973738.tif 000003
【図３】
0003973738.tif 000004
【図４】
0003973738.tif 000005
【図５】
0003973738.tif 000006
【図６】
0003973738.tif 000007